(57)【要約】      （修正有）【課題】ＴＤＭ回線において全てのタイムスロットが利用されているとは限らない場合にパケット転送の効率化およびネットワーク帯域の有効利用を達成できる回線エミュレーション方法および装置を提供する。【解決手段】ＴＤＭ回線を非同期網３０に接続する回線エミュレーション装置１０は、入力ＴＤＭデータにアイドルタイムスロットが含まれる場合、タイムスロットごとにアイドルタイムスロットであるかユーザデータタイムスロットであるかを示す種別マップを生成するマップ生成手段１０１と、入力ＴＤＭデータからアイドルタイムスロットを削除して縮退ＴＤＭデータを生成する削除手段１０２と、種別マップと縮退ＴＤＭデータとを格納したフレームを生成して非同期網３０へ送信する送信手段１０３，１０４と、を有する。【選択図】図３
2011010172.tif 000002
【特許請求の範囲】
【請求項１】
ＴＤＭ(Time Division Multiplexing)回線を非同期網に接続する回線エミュレーション装置であって、
入力ＴＤＭデータにアイドルタイムスロットが含まれる場合、タイムスロットごとにアイドルタイムスロットであるかユーザデータタイムスロットであるかを示す種別マップを生成するマップ生成手段と、
前記入力ＴＤＭデータから前記アイドルタイムスロットを削除して縮退ＴＤＭデータを生成する削除手段と、
前記種別マップと前記縮退ＴＤＭデータとを格納したフレームを生成して前記非同期網へ送信する送信手段と、
を有することを特徴とする回線エミュレーション装置。
【請求項２】
前記種別マップの種別は、前記入力ＴＤＭデータの全タイムスロットの各々に対応した１ビット情報からなることを特徴とする請求項１に記載の回線エミュレーション装置。
【請求項３】
前記種別マップは、当該種別マップのデータ長情報と種別情報とからなり、前記フレームにおけるデータ領域の先頭に配置されることを特徴とする請求項１または２に記載の回線エミュレーション装置。
【請求項４】
前記送信手段は、前記フレームの所定領域に、当該フレームが前記種別マップと前記縮退ＴＤＭデータとを格納したフレームであることを示すフレーム判別情報を格納することを特徴とする請求項１−３のいずれか１項に記載の回線エミュレーション装置。
【請求項５】
前記送信手段は、
前記種別マップと前記縮退ＴＤＭデータとを格納したEtherフレームを生成するＴＤＭ／フレーム変換手段と、
前記Etherフレームを前記非同期網へ送信するパケット送信手段と、
を有することを特徴とする請求項１−４のいずれか１項に記載の回線エミュレーション装置。
【請求項６】
送信側の回線エミュレーション装置から前記非同期網を通してフレームを受信する受信手段と、
受信フレームに種別マップおよび縮退ＴＤＭデータが含まれる場合、前記受信フレームの種別マップを参照することで、削除されたアイドルタイムスロットを復元する復元手段と、
削除されたアイドルタイムスロットが復元されると、前記受信フレームの種別マップを削除して、復元フレームを生成する種別マップ削除手段と、
前記復元フレームから出力ＴＤＭデータを生成するフレーム／ＴＤＭ変換手段と、
を更に有することを特徴とする請求項１−５のいずれか１項に記載の回線エミュレーション装置。
【請求項７】
前記復元手段は、前記受信フレームの所定領域にあるフレーム判別情報をチェックすることで、当該受信フレームが種別マップと縮退ＴＤＭデータとを格納したフレームであるか否かを判別することを特徴とする請求項６に記載の回線エミュレーション装置。
【請求項８】
ＴＤＭ(Time Division Multiplexing)回線を非同期網に接続する回線エミュレーション装置における回線エミュレーション方法であって、
入力ＴＤＭデータにアイドルタイムスロットが含まれる場合、タイムスロットごとにアイドルタイムスロットであるかユーザデータタイムスロットであるかを示す種別マップを生成し、
前記入力ＴＤＭデータから前記アイドルタイムスロットを削除して縮退ＴＤＭデータを生成し、
前記種別マップと前記縮退ＴＤＭデータとを格納したフレームを生成して前記非同期網へ送信する、
を有することを特徴とする回線エミュレーション方法。
【請求項９】
前記種別マップの種別は、前記入力ＴＤＭデータの全タイムスロットの各々に対応した１ビット情報からなることを特徴とする請求項８に記載の回線エミュレーション方法。
【請求項１０】
前記種別マップは、当該種別マップのデータ長情報と種別情報とからなり、前記フレームにおけるデータ領域の先頭に配置されることを特徴とする請求項８または９に記載の回線エミュレーション方法。
【請求項１１】
前記フレームを生成する際、前記フレームの所定領域に、当該フレームが前記種別マップと前記縮退ＴＤＭデータとを格納したフレームであることを示すフレーム判別情報を格納することを特徴とする請求項８−１０のいずれか１項に記載の回線エミュレーション方法。
【請求項１２】
前記フレームは、前記種別マップと前記縮退ＴＤＭデータとを格納したEtherフレームであり、前記Etherフレームを前記非同期網へ送信することを特徴とする請求項８−１１のいずれか１項に記載の回線エミュレーション方法。
【請求項１３】
ＴＤＭ(Time Division Multiplexing)回線を非同期網に接続する回線エミュレーション装置における回線エミュレーション方法であって、
送信側の回線エミュレーション装置から前記非同期網を通してフレームを受信し、
受信フレームに、タイムスロットごとにアイドルタイムスロットであるかユーザデータタイムスロットであるかを示す種別マップと縮退ＴＤＭデータとが含まれる場合、前記受信フレームの種別マップを参照することで、削除されたアイドルタイムスロットを復元し、
削除されたアイドルタイムスロットが復元されると、前記受信フレームの種別マップを削除して、復元フレームを生成し、
前記復元フレームから出力ＴＤＭデータを生成する、
ことを特徴とする回線エミュレーション方法。
【請求項１４】
前記種別マップの種別は、前記入力ＴＤＭデータの全タイムスロットの各々に対応した１ビット情報からなることを特徴とする請求項１３に記載の回線エミュレーション方法。
【請求項１５】
前記種別マップは、当該種別マップのデータ長情報と種別情報とからなり、前記フレームにおけるデータ領域の先頭に配置されることを特徴とする請求項１３または１４に記載の回線エミュレーション方法。
【請求項１６】
前記受信フレームの所定領域にあるフレーム判別情報をチェックすることで、当該受信フレームが種別マップと縮退ＴＤＭデータとを格納したフレームであるか否かを判別することを特徴とする請求項１３−１５のいずれか１項に記載の回線エミュレーション方法。
【請求項１７】
ＴＤＭ(Time Division Multiplexing)回線を非同期網に接続する送信側回線エミュレーション装置と受信側回線エミュレーション装置とを含むシステムであって、
前記送信側回線エミュレーション装置は、
入力ＴＤＭデータにアイドルタイムスロットが含まれる場合、タイムスロットごとにアイドルタイムスロットであるかユーザデータタイムスロットであるかを示す種別マップを生成するマップ生成手段と、
前記入力ＴＤＭデータから前記アイドルタイムスロットを削除して縮退ＴＤＭデータを生成する削除手段と、
前記種別マップと前記縮退ＴＤＭデータとを格納したフレームを生成して前記非同期網へ送信する送信手段と、
を有し、
前記受信側回線エミュレーション装置は、
前記送信側回線エミュレーション装置から前記非同期網を通してフレームを受信する受信手段と、
受信フレームに種別マップおよび縮退ＴＤＭデータが含まれる場合、前記受信フレームの種別マップを参照することで、削除されたアイドルタイムスロットを復元する復元手段と、
削除されたアイドルタイムスロットが復元されると、前記受信フレームの種別マップを削除して、復元フレームを生成する種別マップ削除手段と、
前記復元フレームから出力ＴＤＭデータを生成するフレーム／ＴＤＭ変換手段と、
を有する、ことを特徴とするシステム。
【請求項１８】
ＴＤＭ(Time Division Multiplexing)回線を非同期網に接続する回線エミュレーション装置としてプログラム制御プロセッサを機能させるコンピュータプログラムであって、
入力ＴＤＭデータにアイドルタイムスロットが含まれる場合、タイムスロットごとにアイドルタイムスロットであるかユーザデータタイムスロットであるかを示す種別マップを生成し、
前記入力ＴＤＭデータから前記アイドルタイムスロットを削除して縮退ＴＤＭデータを生成し、
前記種別マップと前記縮退ＴＤＭデータとを格納したフレームを生成して前記非同期網へ送信する、
ように前記プログラム制御プロセッサを機能させることを特徴とするコンピュータプログラム。
【請求項１９】
ＴＤＭ(Time Division Multiplexing)回線を非同期網に接続する回線エミュレーション装置としてプログラム制御プロセッサを機能させるコンピュータプログラムであって、
送信側の回線エミュレーション装置から前記非同期網を通してフレームを受信し、
受信フレームに、タイムスロットごとにアイドルタイムスロットであるかユーザデータタイムスロットであるかを示す種別マップと縮退ＴＤＭデータとが含まれる場合、前記受信フレームの種別マップを参照することで、削除されたアイドルタイムスロットを復元し、
削除されたアイドルタイムスロットが復元されると、前記受信フレームの種別マップを削除して、復元フレームを生成し、
前記復元フレームから出力ＴＤＭデータを生成する、
ように前記プログラム制御プロセッサを機能させることを特徴とするコンピュータプログラム。
【発明の詳細な説明】
【技術分野】
【０００１】
本発明は疑似ワイヤエミュレーション（ＰＷＥ３：Pseudo Wire Emulation Edge to Edge)技術に係り、特にＴＤＭ(Time Division Multiplexing)信号をイーサネット（登録商標、以下、「Ether」と略記する。）やパケット交換網などの非同期網を通して転送するための回線エミュレーション方法および装置に関する。
【背景技術】
【０００２】
ＴＤＭ回線をパケット網などの非同期網で回線エミュレーションする技術が種々提案されている（たとえば特許文献１など）。特に、非特許文献１には、ビットストリームの構造を無視してＴＤＭビットストリーム（Ｔ１，Ｅ１，Ｔ３，Ｅ３）をカプセル化する疑似ワイヤ技術が記載されており、SAToP（Structure-Agnostic Time Division Multiplexing (TDM) over Packet：パケット上の構造不可知時分割多重）の仕様が勧告されている。SAToPでは、ＴＤＭ回線の全てのタイムスロットＴＳがＩＰパケットのペイロードにマッピングされパケット網を通して転送される。以下、図１および図２を参照しながら、SAToPに関して簡単に説明する。
【０００３】
図１（Ａ）に示すように、ＴＤＭ疑似ワイヤエミュレーション技術により、ＴＤＭパイプがパケット網に形成され、ＴＤＭ回線が擬似的に接続される。SAToPによれば、図１（Ｂ）に示すように、ＴＤＭ回線のフレーミングビット／バイトを含むＴ１／Ｅ１の全タイムスロットがＩＰパケットのペイロードにマッピングされる。たとえば、ＤＳ０を２４チャンネル束ねたＤＳ１／Ｔ１フレームがそのままペイロードに格納され、パケットヘッダを付加してパケット網へ送出される。なお、Ｔ１フレームは図２（Ａ）に示すフォーマットを有し、Ｅ１フレームは図２（Ｂ）に示すフォーマットを有する。
【先行技術文献】
【特許文献】
【０００４】
【特許文献１】特開２００８−１３５８１９号公報
【非特許文献】
【０００５】
【非特許文献１】Request for Comments: 4553 (Structure-Agnostic Time Division Multiplexing (TDM) over Packet (SAToP), June 2006)
【発明の概要】
【発明が解決しようとする課題】
【０００６】
しかしながら、ＴＤＭ回線において全てのタイムスロットが利用されているとは限らない。このために、ユーザデータが格納されていないアイドルタイムスロットが存在すると、ペイロードに無意味なデータが格納されることとなり、データ転送効率の低下およびネットワーク帯域利用効率の低下を招来する。
【０００７】
本発明の目的は、ＴＤＭ回線において全てのタイムスロットが利用されているとは限らない場合にパケット転送の効率化およびネットワーク帯域の有効利用を達成できる回線エミュレーション方法および装置を提供することにある。
【課題を解決するための手段】
【０００８】
本発明による回線エミュレーション装置は、ＴＤＭ(Time Division Multiplexing)回線を非同期網に接続する回線エミュレーション装置であって、入力ＴＤＭデータにアイドルタイムスロットが含まれる場合、タイムスロットごとにアイドルタイムスロットであるかユーザデータタイムスロットであるかを示す種別マップを生成するマップ生成手段と、前記入力ＴＤＭデータから前記アイドルタイムスロットを削除して縮退ＴＤＭデータを生成する削除手段と、前記種別マップと前記縮退ＴＤＭデータとを格納したフレームを生成して前記非同期網へ送信する送信手段と、を有することを特徴とする。
【０００９】
本発明による回線エミュレーション方法は、ＴＤＭ(Time Division Multiplexing)回線を非同期網に接続する回線エミュレーション装置における回線エミュレーション方法であって、入力ＴＤＭデータにアイドルタイムスロットが含まれる場合、タイムスロットごとにアイドルタイムスロットであるかユーザデータタイムスロットであるかを示す種別マップを生成し、前記入力ＴＤＭデータから前記アイドルタイムスロットを削除して縮退ＴＤＭデータを生成し、前記種別マップと前記縮退ＴＤＭデータとを格納したフレームを生成して前記非同期網へ送信する、を有することを特徴とする。
【００１０】
本発明によるシステムは、ＴＤＭ(Time Division Multiplexing)回線を非同期網に接続する送信側回線エミュレーション装置と受信側回線エミュレーション装置とを含むシステムであって、前記送信側回線エミュレーション装置は、入力ＴＤＭデータにアイドルタイムスロットが含まれる場合、タイムスロットごとにアイドルタイムスロットであるかユーザデータタイムスロットであるかを示す種別マップを生成するマップ生成手段と、前記入力ＴＤＭデータから前記アイドルタイムスロットを削除して縮退ＴＤＭデータを生成する削除手段と、前記種別マップと前記縮退ＴＤＭデータとを格納したフレームを生成して前記非同期網へ送信する送信手段と、を有し、前記受信側回線エミュレーション装置は、前記送信側回線エミュレーション装置から前記非同期網を通してフレームを受信する受信手段と、受信フレームに種別マップおよび縮退ＴＤＭデータが含まれる場合、前記受信フレームの種別マップを参照することで、削除されたアイドルタイムスロットを復元する復元手段と、削除されたアイドルタイムスロットが復元されると、前記受信フレームの種別マップを削除して、復元フレームを生成する種別マップ削除手段と、前記復元フレームから出力ＴＤＭデータを生成するフレーム／ＴＤＭ変換手段と、を有する、ことを特徴とする。
【発明の効果】
【００１１】
本発明によれば、ＴＤＭ回線において全てのタイムスロットが利用されているとは限らない場合にパケット転送の効率化およびネットワーク帯域の有効利用を達成できる。
【図面の簡単な説明】
【００１２】
【図１】（Ａ）はＴＤＭ疑似ワイヤの概念を説明するための模式図、（Ｂ）はSAToPによるタイムスロットとパケットペイロードとの関係を示す模式図である。
【図２】（Ａ）はＴ１フレームフォーマット図、（Ｂ）はＥ１フレームフォーマット図である。
【図３】本発明の一実施形態による回線エミュレーション装置を用いたシステムの機能的構成を示すブロック図である。
【図４】図３に示す送信側の回線エミュレーション装置によるパケット生成動作のフローチャートである。
【図５】図４におけるフレーム生成動作の一例を示す模式図である。
【図６】図３に示す回線エミュレーション装置により生成されるEtherフレームとその制御ワードの構成を示す模式図である。
【図７】図３に示す受信側の回線エミュレーション装置によるＴＤＭデータ生成動作のフローチャートである。
【図８】図７におけるフレーム生成動作の一例を示す模式図である。
【図９】本発明の一実施形態による回線エミュレーション装置の機能的構成の一例を示すブロック図である。
【発明を実施するための形態】
【００１３】
１．システム
図３に示すように、送信側の回線エミュレーション装置１０と受信側の回線エミュレーション装置２０とがパケット網３０に接続され、ＴＤＭ疑似ワイヤエミュレーション技術によりパケット網３０に形成されたＴＤＭパイプを通して送信側と受信側のＴＤＭ回線が擬似的に接続されているものとする。なお、ここでは、非同期網としてパケット網３０を例示し、本実施形態による回線エミュレーションに関連する機能構成のみが図示されている。
【００１４】
送信側の回線エミュレーション装置１０には、ＭＡＰヘッダ作成部１０１、アイドルＴＳ削除部１０２、ＴＤＭ／フレーム変換部１０３、送信部１０４および制御部１０５が設けられている。
【００１５】
ＭＡＰヘッダ作成部１０１は、入力されたＴＤＭデータから、利用していないアイドルタイムスロットとユーザデータが含まれたタイムスロットとを判別し、全てのタイムスロットの位置と種別（アイドルタイムスロットであるかユーザデータを含むタイムスロットであるか）をそれぞれ示す種別マップを作成する。以下、種別マップを「ＭＡＰヘッダ」と記し、「タイムスロット」を適宜「ＴＳ」と略記する。
【００１６】
アイドルＴＳ削除部１０２は、ＭＡＰヘッダを参照しながら、入力ＴＤＭデータからアイドルタイムスロットを削除することで縮退ＴＤＭデータを生成し、ＭＡＰデータと縮退ＴＤＭデータとをＴＤＭ／フレーム変換部１０３へ出力する。
【００１７】
ＴＤＭ／フレーム変換部１０３は、ＭＡＰデータと縮退ＴＤＭデータとをEtherフレームに格納して送信部１０４へ出力する。送信部１０４はEtherフレームをパケット網３０を通して受信側の回線エミュレーション装置へ送信する。
【００１８】
なお、ＭＡＰヘッダ作成部１０１、アイドルＴＳ削除部１０２、ＴＤＭ／フレーム変換部１０３および送信部１０４は、制御部１０５により後述するように制御されるが、プログラムをプログラム制御プロセッサ上で実行することにより同等の機能を実現してもよい。
【００１９】
受信側の回線エミュレーション装置２０には、受信部２０１、アイドルＴＳ復元部２０２、ＭＡＰヘッダ削除部２０３、フレーム／ＴＤＭ変換部２０４および制御部２０５が設けられている。
【００２０】
受信部２０１はパケット網３０を通して送信側回線エミュレーション装置１０から受信したパケットをEtherフレームに変換し、アイドルＴＳ復元部２０２へ出力する。
【００２１】
アイドルＴＳ復元部２０２は、Etherフレームのデータとして格納されているＭＡＰヘッダを参照することで削除されたアイドルＴＳを復元し、アイドルＴＳが復元されたEtherフレームをＭＡＰヘッダ削除部２０３へ出力する。
【００２２】
ＭＡＰヘッダ削除部２０３は、アイドルＴＳが復元されたEtherフレームからＭＡＰヘッダを削除し、受信したユーザデータを含むＴＳと復元されたアイドルＴＳとからなるEtherフレームをフレーム／ＴＤＭ変換部２０４へ出力する。
【００２３】
フレーム／ＴＤＭ変換部２０４は、ＭＡＰヘッダ削除部２０３から入力したEtherフレームに格納されている全てのＴＳをＴＤＭデータに変換しＴＤＭ回線へ出力する。
【００２４】
なお、受信部２０１、アイドルＴＳ復元部２０２、ＭＡＰヘッダ削除部２０３およびフレーム／ＴＤＭ変換部２０４は、制御部２０５により後述するように制御されるが、プログラムをプログラム制御プロセッサ上で実行することにより同等の機能を実現してもよい。
【００２５】
２．送信側機能
次に、送信側の回線エミュレーション装置１０の動作を図４および図５を参照しながら説明する。
【００２６】
送信側の回線エミュレーション装置１０がＴＤＭ回線からＴＤＭデータを入力すると、制御部１０５は入力ＴＤＭデータにアイドルＴＳが含まれるか否かを判定する（ステップ３０１）。図５において、入力ＴＤＭデータ４０１の斜線部のＴＳがアイドルＴＳであるとする。ここでは、一例として、タイムスロット＃１がデータＴＳ、タイムスロット＃２−＃８がアイドルＴＳであるものとする。
【００２７】
入力ＴＤＭデータにアイドルＴＳが含まれていれば（ステップ３０１：ＹＥＳ）、制御部１０５の指示に従って、ＭＡＰヘッダ作成部１０１は全ＴＳの位置と種別を示すＭＡＰヘッダを生成する（ステップ３０２）。
【００２８】
図５に示す例に従えば、ＭＡＰヘッダ作成部１０１は、全てのＴＳについて、ユーザデータが含まれているかアイドルであるかを判定してＭＡＰヘッダ４０２を生成する。ＭＡＰヘッダ４０２は、１バイト固定長のＭＡＰヘッダ長情報とＮバイト（Ｎは１以上の整数）のＭＡＰデータとから構成される。ＭＡＰヘッダ長情報には、ＭＡＰヘッダ長情報とＭＡＰデータとの合計バイト長が格納される。ＭＡＰデータには、入力ＴＤＭデータの全ＴＳ＃１−＃８の各々に対応して、アイドルＴＳかユーザデータＴＳかを示す１ビットの種別情報が格納される。各タイムスロットの種別情報は、アイドルＴＳであれば“０”、ユーザデータＴＳであれば“１”とする。ＭＡＰデータは１バイト単位で設定されるものとする。
【００２９】
たとえば、図２（Ｂ）に示すようなＥ１フレームの場合、全体で３２ＴＳであるから、ＭＡＰデータとして３２ビット必要となる。したがって、１バイトのＭＡＰヘッダ長情報に“５”と記録し、ＭＡＰデータを４バイト（４×８＝３２）で表示すればよい。ＭＡＰヘッダ長情報にビット数を記録してもよい。たとえば、Ｅ１の場合、ＭＡＰヘッダ長情報に３２を記録することで４バイトのＭＡＰデータを表現可能である。なお、ＭＡＰヘッダ長情報にバイト数を記録する場合、もしＴＳ数が１バイトに相当する８で割り切れない時には残りのビットを“０”にすることで容易に対応可能である。
【００３０】
図５に示す例では、ＴＳ＃１にデータＴＳがあり、その他のＴＳ＃２−＃８はアイドルＴＳであるから、ＭＡＰヘッダ長は１０進数で“２”、８ビットのＭＡＰデータは“１０００００００”となる。
【００３１】
続いて、アイドルＴＳ削除部１０２は、制御部１０５の制御下で、入力ＴＤＭデータからアイドルＴＳを削除し縮退ＴＤＭデータを生成する（ステップ３０３）。図５に示す例では、入力ＴＤＭデータ４０１からＴＳ＃２−＃８のアイドルＴＳが削除され、ＭＡＰヘッダ４０２とデータＴＳだけからなる縮退ＴＤＭデータ４０３とがＴＤＭ／フレーム変換部１０３へ出力される。言い換えれば、入力ＴＤＭデータ４０１の全ＴＳは、ＭＡＰヘッダ４０２および縮退ＴＤＭデータ４０３の組データを用いることで完全に復元できる。
【００３２】
続いて、ＴＤＭ／フレーム変換部１０３は、制御部１０５の制御下でＭＡＰヘッダ４０２および縮退ＴＤＭデータ４０３を後述するEtherフレームへ変換する（ステップ３０４）。図５に示す例に従えば、ＴＤＭ／フレーム変換部１０３は、ＭＡＰヘッダ４０２および縮退ＴＤＭデータ４０３にEtherヘッダを付加したEtherフレーム４０４を生成する。その際、ＴＤＭ／フレーム変換部１０３は、後述するように、当該フレームがアイドルＴＳを削除したものであることを示すフレーム判別情報をEtherフレームの所定領域に書き込んでおく。
【００３３】
こうして得られたEtherフレーム４０３が送信部１０４を通してパケット網３０を通して宛先の受信側回線エミュレーション装置２０へ送信される（ステップ３０５）。なお、入力ＴＤＭデータにアイドルＴＳが含まれていなければ（ステップ３０１：ＮＯ）、制御部１０５は通常のSAToPとして入力ＴＤＭデータからEtherフレームを生成し（ステップ３０６）、送信する（ステップ３０５）。
【００３４】
SAToP規約では、レイヤ２のEtherヘッダに続いてSAToPヘッダが配置されるので、その後にＭＡＰヘッダ４０２を配置し、更にその後に縮退ＴＤＭデータを配置すればよい。
【００３５】
たとえば、図６に示すように、Etherフレーム４０３は、Etherヘッダ、ＩＰｖ４／ｖ６あるいはＭＰＬＳヘッダからなるネットワーク層領域、ＵＤＰあるいはＲＴＰヘッダからなる上位層領域、制御ワード領域、上述したＭＡＰヘッダ４０２＋縮退ＴＤＭデータ、必要に応じたパディング、およびＦＣＳ(Frame Check Sequence)からなる。制御ワードのビット６，７は、現在使用されていないリザーブ領域であるから、この２ビットをフレーム判別情報として利用することができる。フレーム判別情報としては、デフォルトの“００”以外であれば任意の値を用いることができる。たとえば、制御ワードのリザーブ領域に特定の値（２進数で“１１”）が書き込まれている場合は、当該フレームが縮退ＴＤＭデータを含むことを示すようにすればよい。
【００３６】
３．受信側機能
次に、受信側の回線エミュレーション装置２０の動作を図７および図８を参照しながら説明する。
【００３７】
受信側の回線エミュレーション装置２０がパケット網３０からEtherフレームを受信すると、制御部２０５は、当該Etherフレームのフレーム判別情報（ここでは、制御ワート領域のビット６−７の値）をチェックして、当該フレームが縮退ＴＤＭデータを含むものであるか否かを判定する（ステップ５０１）。
【００３８】
縮退ＴＤＭデータを含むEtherフレームであれば（ステップ５０１：ＹＥＳ）、制御部２０５は、アイドルＴＳ復元部２０２に指示してアイドルＴＳの復元を実行させる（ステップ５０２）。続いて、ＭＡＰヘッダ削除部２０３は、制御部２０５の制御下で、アイドルＴＳが復元されたEtherフレームからＭＡＰヘッダを削除し復元Etherフレームを生成する（ステップ５０３）。
【００３９】
図８に示す例に従えば、アイドルＴＳ復元部２０２は、受信したEtherフレーム４０４のＭＡＰヘッダ４０２のＭＡＰヘッダ長情報をチェックしてＭＡＰデータを読み出する。ここではＭＡＰデータが１バイトのデータで“１０００００００”であるから、種別情報“１”のＴＳ＃１がデータＴＳ、種別情報“０”のＴＳ＃２−＃８がアイドルＴＳである。したがって、アイドルＴＳ復元部２０２はＴＳ＃２−＃８にアイドルＴＳを復元し、復元されると、ＭＡＰヘッダ削除部２０３はＭＡＰヘッダ４０２を削除して復元Etherフレーム６０１を生成する。
【００４０】
続いて、フレーム／ＴＤＭ変換部２０４は、制御部２０５の制御下で、復元Etherフレームを変換して出力ＴＤＭデータを生成し（ステップ５０４）、ＴＤＭ回線へ送信する（ステップ５０５）。図８に示す例に従えば、フレーム／ＴＤＭ変換部２０４は復元Etherフレーム６０１からEtherヘッダを削除して出力ＴＤＭデータ６０２を生成する。
【００４１】
なお、縮退ＴＤＭデータを含んでいない通常のEtherフレームであれば（ステップ５０１：ＮＯ）、制御部２０５は通常のSAToPとしてEtherフレームからＴＤＭデータを生成し（ステップ５０６）、送信する（ステップ５０５）。
【００４２】
４．効果
上述したように、本実施形態によれば、ＴＤＭデータのうちアイドルＴＳを削除した縮退ＴＤＭデータを生成し、ＭＡＰヘッダと共にパケット送信するので、ＴＤＭ回線において全てのタイムスロットが利用されているとは限らない場合にパケット転送の効率化およびネットワーク帯域の有効利用を達成できる。具体的には、必要最低限となるユーザデータが含まれるＴＳのみをEhterフレームに格納するので、通常のSAToPに比べて伝送帯域を節減することができる。
【００４３】
また、受信側では、ＭＡＰヘッダを参照することで削除されたアイドルＴＳを復元することができ、元のＴＤＭデータを再現してＴＤＭ回線へ接続できる。
【００４４】
５．他の実施形態
図９に示すように、回線エミュレーション装置４０は、上述したＭＡＰヘッダ作成部１０１、アイドルＴＳ削除部１０２、ＴＤＭ／フレーム変換部１０３および送信部１０４からなる送信系と、受信部２０１、アイドルＴＳ復元部２０２、ＭＡＰヘッダ削除部２０３およびフレーム／ＴＤＭ変換部２０４からなる受信系とを備えることもできる。この場合、制御部４００は上述した送信系の制御部１０５および受信系の制御部２０５を含む。回線エミュレーション装置４０の構成および動作は、上述した通りであるから、同じ参照番号を付して説明は省略する。
【産業上の利用可能性】
【００４５】
本発明は、SAToPに準拠したパケット通信システムに利用可能である。
【符号の説明】
【００４６】
１０  送信側回線エミュレーション装置
２０  受信側回線エミュレーション装置
３０  パケット網
４０  回線エミュレーション装置
１０１  ＭＡＰヘッダ作成部
１０２  アイドルＴＳ削除部
１０３  ＴＤＭ／フレーム変換部
１０４  送信部
１０５  制御部
２０１  受信部
２０２  アイドルＴＳ復元部
２０３  ＭＡＰヘッダ削除部
２０４  フレーム／ＴＤＭ変換部
４００  制御部
４０１  入力ＴＤＭデータ
４０２  ＭＡＰヘッダ
４０３  縮退ＴＤＭデータ
４０４  Etherフレーム
６０１  復元Etherフレーム
６０２  出力ＴＤＭデータ
【図１】
2011010172.tif 000003
【図２】
2011010172.tif 000004
【図３】
2011010172.tif 000005
【図４】
2011010172.tif 000006
【図５】
2011010172.tif 000007
【図６】
2011010172.tif 000008
【図７】
2011010172.tif 000009
【図８】
2011010172.tif 000010
【図９】
2011010172.tif 000011